(57)【要約】【課題】着信先電話機に着信履歴を残すだけの目的で短時間で切断を行なう悪意の加入者の意図を封ずることができて、善意の加入者の通信を妨害することがない交換装置を提供する。【解決手段】呼設定受付信号を発信元電話機に送信した後にタイマを起動し、該タイマが所定時間経過しないうちに該発信元電話機から切断信号を受信した場合には、該発信元電話機に対して解放信号を送信して呼処理を停止し、該タイマが所定時間経過しても該発信元電話機から切断信号を受信しなかった場合には、着信側のの交換装置に対してアドレス・メッセージ信号を送信して呼処理を継続するように構成する。【選択図】      図１
2004172776.tif 000002
【特許請求の範囲】
【請求項１】
呼設定受付信号を発信元電話機に送信した後にタイマを起動し、
該タイマが所定時間経過しないうちに該発信元電話機から切断信号を受信した場合には、該発信元電話機に対して解放信号を送信して呼処理を停止し、
該タイマが所定時間経過しても該発信元電話機から切断信号を受信しなかった場合には、着信側の交換装置に対してアドレス・メッセージ信号を送信して呼処理を継続する
ことを特徴とする交換装置。
【請求項２】
発信側の交換装置からアドレス・メッセージを受信した後にタイマを起動し、
該タイマが所定時間経過しないうちに該発信側の交換装置から解放信号を受信した場合には、該発信側の交換装置に対して解放完了信号を送信して呼処理を停止し、
該タイマが所定時間経過しても該発信側の交換装置から解放信号を受信しなかった場合には、着信側の交換装置に対してアドレス・メッセージ信号を中継して呼処理を継続する
ことを特徴とする交換装置。
【請求項３】
発信側の交換装置からアドレス・メッセージを受信した後にタイマを起動し、
該タイマが所定時間経過しないうちに該発信側の交換装置から解放信号を受信した場合には、該発信側の交換装置に対して解放完了信号を送信して呼処理を停止し、
該タイマが所定時間経過しても該発信側の交換装置から解放信号を受信しなかった場合には、着信側電話機に対して呼び出しを行なって呼処理を継続する
ことを特徴とする交換装置。
【請求項４】
請求項２に記載の交換装置であって、
発信側の交換装置からアドレス・メッセージを受信した時に、着信先移動電話機がワン切り防止サービス実施を要求しているか否か判定し、
該着信先移動電話機がワン切り防止サービス実施を要求していると判定した場合には、上記タイマを起動し、
該タイマが所定時間経過しないうちに該発信側の交換装置から解放信号を受信した場合には、該発信側の交換装置に対して解放完了信号を送信して呼処理を停止し、
該タイマが所定時間経過しても該発信側の交換装置から解放信号を受信しなかった場合には、着信側の交換装置に対してアドレス・メッセージ信号を中継して呼処理を継続する
ことを特徴とする交換装置。
【請求項５】
請求項３に記載の交換装置であって、
発信側の交換装置からアドレス・メッセージを受信した時に、着信先移動電話機がワン切り防止サービス実施を要求しているか否か判定し、
該着信先移動電話機がワン切り防止サービス実施を要求していると判定した場合には、上記タイマを起動し、
該タイマが所定時間経過しないうちに該発信側の交換装置から解放信号を受信した場合には、該発信側の交換装置に対して解放完了信号を送信して呼処理を停止し、
該タイマが所定時間経過しても該発信側の交換装置から解放信号を受信しなかった場合には、着信側電話機に対して呼び出しを行なって呼処理を継続する
ことを特徴とする交換装置。
【発明の詳細な説明】
【０００１】
【発明の属する技術分野】
本発明は、交換装置に係り、特に、着信先電話機に着信履歴を残すだけの目的で短時間で切断を行なう悪意の加入者の意図を封ずることができて、善意の加入者の通信を妨害することがない交換装置に関する。
最近、着信側電話機の加入者がオフ・フックするのに間に合わない程の短時間で呼び出しを行なった後直ちに切断をして、着信側電話機に着信履歴を残し、着信側電話機の利用者が不用意に着信履歴にある番号の電話機にアクセスすると、着信側電話機の利用者の意思や興味とは無関係に強制的に情報や番組を流して、後で法外な料金を請求するという悪質な迷惑電話が横行している。これは、着信側電話機に着信履歴を残すだけの目的で着信側電話機の加入者がオフ・フックするのに間に合わない程の短時間で呼び出しを行なった後直ちに切断をするので、「ワン・コール切り電話」又は「ワン切り電話」と呼ばれている。又、上記行為を行なう業者は「ワン切り業者」と呼ばれている。
【０００２】
そして、着信履歴に発信番号を残された善意の加入者が、不用意に当該番号にアクセスすると、不愉快な思いをしたり迷惑を被るだけでなく、不安や恐怖にかられるということになる。
又、ワン切り業者は上記発信行為を短い時間の間に極めて多数回集中して行なうために、通信システムを構成する交換装置において輻輳が生じ、正常な交換機能をそがれるという問題が起きており、このような行為を禁ずる法律も新たに施行されている。
【０００３】
ワン切り電話は上記の如き問題を生ずるので、通信機製造業者は加入者がワン切り電話対策が可能になる電話機の提供を行なう必要があり、通信事業者はワン切り電話対策可能な通信サービスの提供を急ぐ必要がある。本発明は、特に、後者に関係する技術を提供するものである。
【０００４】
【従来の技術】
図１４は、固定電話機、移動電話機間の通信システムのモデルで、ここでは固定電話機が発信側になり、移動電話機が着信側になることを想定して説明する。図１４において、１は固定電話機、２は固定電話機１を収容する交換装置を備える固定網の発信局、３は発信局２からの呼処理信号を中継する移動網交換装置を備える移動網の中継局、６は移動電話機、４は移動電話機６が存在するエリアを管理する移動網の交換装置を備える移動網の着信局、５は移動電話機に関するデータを保持しているホーム・ロケーション・レジスタ（図では「ＨＬＲ」と略記している。これはＨｏｍｅ  Ｌｏｃａｔｉｏｎ  Ｒｅｇｉｓｔｏｒの頭文字による略語である。尚、以降も図では同様に記載する。）である。
【０００５】
先にも記載したように、固定電話機１が発信側になり、移動電話機６が着信側になることを想定しており、更に、移動網に中継局３があるケースを図示しているために、ホーム・ロケーション・レジスタ５は中継局３に接続されて使用されるようになっているが、移動網に中継局３がなく、発信局２から直接着信局４に呼処理信号が伝達されるケースではホーム・ロケーション・レジスタ５は着信局４に接続されて使用される。
【０００６】
尚、実際には着信局５の配下には複数の基地局と該複数の基地局と移動電話機との接続を制御するための機能を有する制御局が存在するが、本発明の技術とは直接的には関係がないものであるために、図の煩雑化をさける目的で図示を省略している。
図１２は、従来の固定電話機、移動電話機間の呼処理シーケンス（その１）で、発信をした固定電話機が発信を継続して移動電話機と通話を行なってから切断をするケースの呼処理シーケンスである。以降、上記呼処理シーケンスを順を追って説明する。
【０００７】
まず、固定電話機が呼設定信号（英語で「ＳＥＴ  ＵＰ」である。）を送信する。
該呼設定信号を受信した発信局は、固定電話機に対して呼設定受付信号（英語で「ＣＡＬＬ  ＰＲＯＣＥＥＤＩＮＧ  である。）を返送し、一方、中継局に対してアドレス・メッセージ信号（英語で「ＩＮＩＴＩＡＬ  ＡＤＲＥＳＳ  ＭＥＳＳＡＧＥ」である。）を送信する。
アドレス・メッセージ信号を受信した中継局は、ホーム・ロケーション・レジスタに対して着信翻訳語読み出し要求を行ない、ホーム・ロケーション・レジスタから着信翻訳語を受信する。ここで、着信翻訳語読み出しは、着信先に指定された移動電話機の移動網への加入の有無や、当該移動電話機がどの着信局の配下のエリアに在圏しているかのデータをホーム・ロケーション・レジスタから取得するためのものである。
【０００８】
ホーム・ロケーション・レジスタから着信翻訳語を受信した中継局は、当該移動電話機が在圏しているエリアを管理する着信局に対してアドレス・メッセージ信号を転送する。
アドレス・メッセージ信号を受信した着信局は、配下のエリアに一斉呼び出し（英語で「ＰＡＧＩＮＧ」である。）をかける。
【０００９】
一斉呼び出しを受けた移動電話機は、一斉呼び出し応答（英語で「ＰＡＧＩＮＧ    ＡＣＫＮＯＷＬＡＧＥＭＥＮＴ」である。）を着信局に返送する。
一斉呼び出し応答を受けた着信局は、移動電話機に対して呼設定信号を送信し、呼設定信号を受信した移動電話機は着信局に対して呼設定受付信号を返送する。
【００１０】
着信局は、呼設定受付信号を受けると中継局に対してアドレス完了メッセージ（英語で「ＡＤＤＲＥＳＳ  ＣＯＭＰＬＥＴＥ  ＭＥＳＳＡＧＥ」である。）  を送信し、中継局は発信局に対してアドレス完了メッセージを中継する。
次いで、移動電話機は、被呼者呼び出し中信号（英語で「ＡＬＬＥＲＴＩＮＧ  」である。この明細書では「呼び出し信号」と略記する。）を着信局に送信し、着信局は、呼経過表示信号（英語で「ＣＡＡＬ  ＰＲＯＧＲＥＳＳ  ＭＥＳＳＡＧＥ  」である。）を中継局に送信し、中継局は、呼経過表示信号を発信局に中継する。この時点で、信号系において発信側の固定電話機と着信側の移動電話機が接続されて、着信側の移動電話機が呼び出しの鳴動を行なう。
【００１１】
呼経過表示信号を受信した発信局は、呼び出し信号を固定電話機に対して送信する。
次いで、移動電話機は、応答通知信号（英語で「ＣＯＮＮＥＣＴ  」である。）を着信局に送信し、着信局は移動電話機に対して応答確認信号（英語で「ＣＯＮＮＥＣＴ  ＡＣＫ−ＮＯＷＬＡＧＥＭＥＮＴ  」である。）を返送すると共に、中継局に対して応答メッセージ信号（英語で「ＡＮＳＷＥＲ  ＭＥＳＳＡＧＥ」である。）を送信し、中継局は応答メッセージ信号を発信局に中継する。
【００１２】
応答メッセージ信号を受けた発信局は固定電話機に対して応答通知信号を送信し、固定電話機は応答確認信号を発信局に返送する。
この時点で、通話系において固定電話機と移動電話機が接続されて、通話が可能になるので課金処理が開始される。
そして、切断のシーケンスは下記の通りである。
【００１３】
固定電話機が、切断信号（英語で「ＤＩＳＳＣＯＮＮＥＣＴ  」である。）を発信局に送信する。
発信局は、固定電話機に対して解放信号（英語で「ＲＥＬＥＡＳＥ  」である。）を返送し、解放信号を受けた固定電話機は発信局に対して解放完了信号（英語で「ＲＥＬＥＡＳＥ  ＣＯＭＰＬＥＴＥ」である。）を返送する。この時点で課金処理が終了となる。
【００１４】
一方、切断信号を受けた発信局は、中継局に対して解放信号を送信し、中継局は解放完了信号を発信局に返送すると共に、解放信号を着信局に向けて中継する。
着信局は、中継局に対して解放完了信号を返送すると共に、移動電話機に対して切断信号を送信する。
【００１５】
切断信号を受けた移動電話機は、解放信号を着信局に返送し、着信局は解放完了信号を移動電話機に返送する。
上記処理手順によって、固定電話機と移動電話機の間の信号系と通話系が全て解放されて、固定電話機と移動電話機を接続していた交換装置のリソースがフリーになる。
【００１６】
図１３は、従来の固定電話機、移動電話機間の呼処理シーケンス（その２）で、発信をした固定電話機が発信した直後に切断をするために、着信側移動電話機で呼び出しが行なわれた直後に切断される、ワン切り電話の場合の呼処理シーケンスである。
まず、固定電話機が呼設定信号を送信する。
【００１７】
該呼設定信号を受信した発信局は、固定電話機に対して呼設定受付信号を返送し、一方、中継局に対してアドレス・メッセージ信号を送信する。
アドレス・メッセージ信号を受信した中継局は、ホーム・ロケーション・レジスタに対して着信翻訳語読み出し要求を行ない、ホーム・ロケーション・レジスタから着信翻訳語を受信する。
【００１８】
ホーム・ロケーション・レジスタから着信翻訳語を受信した中継局は、当該移動電話機が在圏しているエリアを管理する着信局に対してアドレス・メッセージ信号を転送する。
アドレス・メッセージ信号を受信した着信局は、配下のエリアに一斉呼び出しをかける。
【００１９】
一斉呼び出しを受けた移動電話機は、一斉呼び出し応答を着信局に返送する。一斉呼び出し応答を受けた着信局は、移動電話機に対して呼設定信号を送信し、呼設定信号を受信した移動電話機は着信局に対して呼設定受付信号を返送する。この後、着信局がアドレス完了メッセージを中継局に向けて送信し、アドレス完了メッセージの中継が行なわれる。
【００２０】
次いで、移動電話機は、呼び出し信号を着信局に送信する。この時点で、信号系において発信側の固定電話機と着信側の移動電話機が接続されて、着信側の移動電話機が呼び出しの鳴動を行なう。この後、着信局が呼経過表示信号を中継局に向けて送信し、呼経過表示信号の中継が行なわれる。
しかし、この場合には、移動電話機が呼び出し信号を送信する前の絶妙なタイミングに発信側の固定電話機が切断信号を発信局に送信する。
【００２１】
切断信号を受信した発信局は、固定電話機に対して解放信号を返送し、固定電話機はそれに対して解放完了信号を発信局に送信する。この時点で発信側の固定電話機は解放されてフリーになる。
一方、切断信号を受けた発信局は、解放信号を中継局に転送し、中継局は解放信号を着信局に対して中継すると共に発信局に対して解放完了信号を返送する。更に、中継局は、解放信号を着信局に対して中継する。
【００２２】
解放信号を受けた着信局は、移動電話機に対して切断信号を送信すると共に、中継局に対して解放完了信号を返送する。
切断信号を受けた移動電話機が、解放信号を着信局に返送すると、着信局は解放完了信号を移動電話機に送信する。
従って、移動電話機において一旦は呼び出しが行なわれるが、固定電話機が発信直後の絶妙なタイミングに切断を行なうために、固定電話機と移動電話機との間で通話系が接続されることなく呼処理シーケンスが終了する。
【００２３】
そして、発信側の固定電話機が発信局に対して応答確認信号を送信することがないので課金されることがない。一方、着信側の移動電話機は一旦呼び出された直後に切断されるために、不在着信があったと判断して着信履歴に発信側の固定電話機の番号を保存する。
ワン切り電話は上記のようにしてかけられ、不用意に発信側の固定電話機にアクセスした着信側の加入者は迷惑を被るだけでなく、不安や恐怖にかられることになる。
【００２４】
さて、非特許文献１、即ち、ＮＴＴｄｏｃｏｍｏのホーム・ページに掲載された“「ワン切り」に関する対策の概要”には、ワン切り電話への複数の対策が記載されている。
まず、電話機における対策は下記の通りである。
（１）一定時間無音着信音の提供
これは、電話機からの設定により、呼び出し初めの１〜２秒程度の間呼び出しの鳴動を防止する。従って、ワン切り電話がつながっても加入者がそれを認識することがない。
【００２５】
（２）ステップトーン機能の活用
これは、呼び出し音が無音から徐々に大きくなるステップトーン機能を有する電話機では、最初の短時間は無音か呼び出し音が小さいので、ワン切り電話がつながっても加入者がそれを認識することがないというものである。
（３）不在着信時の呼び出し時間の表示
これは、電話機に表示される着信履歴に呼び出し時間を併せて表示するもので、１〜２秒程度の短時間の呼び出しであったことを知ることによりワン切り電話であると推測できるというものである。
【００２６】
次に、ネットワークにおける対策は下記の通りである。
（４）発信電話機のＩＤ判定による着信拒否機能
これは、加入者が、ワン切り事業者の電話番号と推測される番号を登録しておくと、登録された番号の電話機からの着信を拒否できるというものである。従って、善意の加入者の電話機にワン切り電話がかかることがなくなって、着信履歴に発信側電話機の番号が保存されないように。又、音声ガイダンスによって即時に応答するので、電話番号を登録されたワン切り業者には課金が行なわれ、ワン切り業者に経済的ダメージを課すことができるために、ワン切り電話の防止につながることが期待できる。
【００２７】
更に、特許文献１、即ち、特開平５−２３６２２９号公開公報には下記の技術が開示されている。
（５）同じ相手からの着信拒否
これは、着信があった時に相手先登録部に登録されていないと判定した場合に着信を拒否し、着信を拒否した時に公衆通信網（交換装置）に着信拒否履歴を登録し、交換装置は着信拒否履歴がある相手先からの着信であった場合に着信側を呼び出さないというもので、電話機と交換装置の連携で迷惑電話の着信を拒否するものである。
【００２８】
【非特許文献１】“「ワン切り」に関する対策の概要”（ＮＴＴｄｏｃｏｍｏのホーム・ページ。インターネットのＵＲＬは下記の通りである。
ｈｔｔｐ：／／ｗｗｗ．ｄｏｃｏｍｏｋｙｕｓｙｕ．ｃｏ．ｊｐ／ｊｏｈｏ／ｎｅｗｓ／２００２０８２９／ｏｎｅｇｉｒｉ １．ｈｔｍｌ）
【００２９】
【特許文献１】特開平５−２３６２２９号公開公報
【００３０】
【発明が解決しようとする課題】
しかし、上記のいずれの手段によってもワン切り電話から善意の加入者を完全に守ることはできない。
即ち、（１）の一定時間無音着信音の提供や、（２）のステップトーン機能の活用では、ワン切り電話の着信があったことを加入者に認識させない効果はあるものの、ワン切り事業者の狙いである着信履歴の保存が行なわれてしまうからである。
【００３１】
又、（３）不在着信時の呼び出し時間の表示は、電話機に表示される着信履歴に呼び出し時間を併せて表示してワン切り電話であると推測させる効果があるものの、着信履歴が残っている以上加入者が不用意にアクセスする恐れが依然残るという問題と、善意の加入者の発信操作の誤りのために呼び出し時間が短くなってワン切り電話であると誤解される問題とがある。
【００３２】
又、（４）発信電話機のＩＤ判定による着信拒否機能は、登録された番号の電話機からの着信を拒否できるという効果があるものの、ワン切り業者が電話番号を変更した場合、ワン切り業者であるとして再登録されるまではワン切り電話の着信を許してしまうという問題がある。
更に、（５）同じ相手からの着信拒否は、交換機に着信拒否対象である旨の登録がなければ交換機は着信側電話機に着信させてしまい、その後、着信側電話機で着信を許容する番号でないと判断した時に着信を拒否すると共に交換機に着信を拒否する旨登録するということが行なわれるので、ネットワーク全体では電話機と交換機との間で行なわなければならない処理が増加する恐れがある。
【００３３】
又、加入者が登録した着信を許容するした番号のみに着信を許容するので、登録忘れがあった場合には登録を忘れた加入者自身に不利益が生ずるという恐れがある。そして、登録忘れがないにしても、必要な相手の電話番号を全て保存しておくためには、電話機に設置する記憶装置の記憶容量を大きくしなければならないという問題も生ずる。
【００３４】
上記の如く、既に知られている電話機と交換機における技術によっては、ワン切り電話から善意の加入者を守ることができず、ワン切りを行なう悪意の加入者の意図を封ずることもできない。
本発明は、着信先電話機に着信履歴を残すだけの目的で短時間で切断を行なう悪意の加入者の意図を封ずることができて、善意の加入者の通信を妨害することがない通信システムの提供を目的のうちで、特に、悪意の加入者の意図を封ずることができて、善意の加入者の通信を妨害することがない交換装置を提供することを目的とする。
【００３５】
【課題を解決するための手段】
上記課題を解決するための第一の発明は、呼設定受付信号を発信元電話機に送信した後にタイマを起動し、該タイマが所定時間経過しないうちに該発信元電話機から切断信号を受信した場合には、該発信元電話機に対して解放信号を送信して呼処理を停止し、該タイマが所定時間経過しても該発信元電話機から切断信号を受信しなかった場合には、着信側の交換装置に対してアドレス・メッセージ信号を送信して呼処理を継続することを特徴とする交換装置である。
【００３６】
第一の発明の交換装置は、該タイマが所定時間経過しないうちに該発信元電話機から切断信号を受信した場合には、該発信元電話機に対して解放信号を送信して呼処理を停止するので、着信先電話機に着信履歴を残すだけの目的で短時間で切断を行なう悪意の加入者の意図を封ずることができ、該タイマが所定時間経過しても該発信元電話機から切断信号を受信しなかった場合には、着信側の交換装置に対してアドレス・メッセージ信号を送信して呼処理を継続するので、善意の加入者の通信を妨害することがない。
【００３７】
第二の発明は、発信側の交換装置からアドレス・メッセージを受信した後にタイマを起動し、該タイマが所定時間経過しないうちに該発信側の交換装置から解放信号を受信した場合には、該発信側の交換装置に対して解放完了信号を送信して呼処理を停止し、該タイマが所定時間経過しても該発信側の交換装置から解放信号を受信しなかった場合には、着信側の交換装置に対してアドレス・メッセージ信号を中継して呼処理を継続することを特徴とする交換装置である。
【００３８】
第二の発明の交換装置は、該タイマが所定時間経過しないうちに該発信側の交換装置から解放信号を受信した場合には、該発信側の交換装置に対して解放完了信号を送信して呼処理を停止するので、着信先電話機に着信履歴を残すだけの目的で短時間で切断を行なう悪意の加入者の意図を封ずることができ、該タイマが所定時間経過しても該発信側の交換装置から解放信号を受信しなかった場合には、着信側の交換装置に対してアドレス・メッセージ信号を中継して呼処理を継続するので、善意の加入者の通信を妨害することがない。
【００３９】
第三の発明は、発信側の交換装置からアドレス・メッセージを受信した後にタイマを起動し、該タイマが所定時間経過しないうちに該発信側の交換装置から解放信号を受信した場合には、該発信側の交換装置に対して解放完了信号を送信して呼処理を停止し、該タイマが所定時間経過しても該発信側の交換装置から解放信号を受信しなかった場合には、着信側電話機に対して呼び出しを行なって呼処理を継続することを特徴とする交換装置である。
【００４０】
第三の発明の交換装置は、該タイマが所定時間経過しないうちに該発信側の交換装置から解放信号を受信した場合には、該発信側の交換装置に対して解放完了信号を送信して呼処理を停止するので、着信先移動電話機に着信履歴を残すだけの目的で短時間で切断を行なう悪意の加入者の意図を封ずることができ、該タイマが所定時間経過しても該発信側の交換装置から解放信号を受信しなかった場合には、着信側電話機に対して呼び出しを行なって呼処理を継続するので、善意の加入者の通信を妨害することがない。
【００４１】
第四の発明は、第二の発明の交換装置であって、発信側の交換装置からアドレス・メッセージを受信した時に、着信先移動電話機がワン切り防止サービス実施を要求しているか否か判定し、該着信先電話機がワン切り防止サービス実施状態であると判定した場合には、上記タイマを起動し、該タイマが所定時間経過しないうちに該発信側の交換装置から解放信号を受信した場合には、該発信側の交換装置に対して解放完了信号を送信して呼処理を停止し、該タイマが所定時間経過しても該発信側の交換装置から解放信号を受信しなかった場合には、着信側の交換装置に対してアドレス・メッセージ信号を中継して呼処理を継続することを特徴とする交換装置である。
【００４２】
第四の発明の交換装置は、着信先電話機がワン切り防止サービス実施を要求しているか否か判定し、該着信側電話機がワン切り防止サービス実施を要求していると判定した場合には、上記タイマを起動して第二の発明の移動網交換装置と同じ機能を実現し、該着信側電話機がワン切り防止サービス実施を要求していないと判定した場合には、着信側の交換装置に対してアドレス・メッセージ信号を中継するので、着信先電話機を所有する加入者の要望に沿うサービスを実施することができる。
【００４３】
第五の発明は、第三の発明の交換装置であって、発信側の交換装置からアドレス・メッセージを受信した時に、着信先電話機がワン切り防止サービス実施を要求しているか否か判定し、該着信先電話機がワン切り防止サービス実施状態であると判定した場合には、上記タイマを起動し、該タイマが所定時間経過しないうちに該発信側の交換装置から解放信号を受信した場合には、該発信側の交換装置に対して解放完了信号を送信して呼処理を停止し、該タイマが所定時間経過しても該発信側の交換装置から解放信号を受信しなかった場合には、着信側電話機に対して呼び出しを行なって呼処理を継続することを特徴とする交換装置である。
【００４４】
第五の発明の交換装置は、該着信先電話機がワン切り防止サービス実施状態であると判定した場合で、該タイマが所定時間経過しないうちに該発信側の交換装置から解放信号を受信した場合には、該発信側の交換装置に対して解放完了信号を送信して呼処理を停止するので、着信先電話機に着信履歴を残すだけの目的で短時間で切断を行なう悪意の加入者の意図を封ずることができ、該タイマが所定時間経過しても該発信側の交換装置から解放信号を受信しなかった場合には、着信側電話機に対して呼び出しを行なって呼処理を継続するので、善意の加入者の通信を妨害することがない。
【００４５】
【発明の実施の形態】
以降、図面を併用して本発明の技術を詳細に説明する。尚、通信システムの構成モデルは一応図１４に示したものと同じであるとするが、図１４のモデルと違うケースについてはその都度補充説明を行なうようにする。また、固定電話機から発信して移動電話機に着信することに限定する必要もないが、この点については最後に説明を補充する。
【００４６】
図１は、本発明を発信局に適用した場合の呼処理シーケンス（その１）で、発信局に設置したタイマが所定の時間経過しても発信した固定電話機から切断信号が送信されなかった場合の呼処理シーケンスである。
既に説明したのと同様に、固定電話機が呼設定信号を送信する。
該呼設定信号を受信した発信局は、固定電話機に対して呼設定受付信号を返送すると共に、タイマを起動する。
【００４７】
本発明を適用した発信局は、該タイマが所定の時間経過する迄に固定電話機から切断信号を受信しなかった場合にアドレス・メッセージ信号を中継局に送信し、該タイマが所定の時間経過しないうちに固定電話機から切断信号を受信した場合に中継局にアドレス・メッセージ信号を送信せずに呼処理を終了する。
この場合は、タイマが所定の時間経過しても発信した固定電話機から切断信号が送信されなかったことを想定しているので、発信局はタイム・アウト後に中継局に対してアドレス・メッセージ信号を送信する。そして、その後の呼処理シーケンスは図１２にて説明したのと全く同じで、固定電話機と移動電話機は通話をした後に接続を解放される。
【００４８】
図２は、本発明を発信局に適用した場合の呼処理シーケンス（その２）で、発信局に設置したタイマが所定の時間経過しないうちに発信した固定電話機から切断信号が送信された場合の呼処理シーケンスである。
既に説明したのと同様に、固定電話機が呼設定信号を送信する。
該呼設定信号を受信した発信局は、固定電話機に対して呼設定受付信号を返送すると共に、タイマを起動する。
【００４９】
この場合には、該タイマがタイム・アウトする前に固定電話機が切断信号を送信する。
発信局は、該タイマがタイム・アウトしていないのに固定電話機から切断信号を受信したので、中継局に向けてアドレス・メッセージ信号を送信することを停止し、固定電話機に向けて解放信号を送信する。
【００５０】
解放信号を受信した固定電話機は、発信局に対して解放完了信号を送信して発信局との接続を切断される。
従って、ワン切り業者が着信側の移動電話機に着信履歴を残す目的で発信直後に切断を行なった場合、通信システム内では呼処理シーケンスが継続されないので、着信側の移動電話機では呼び出しが行なわれないまま呼処理シーケンスが終了する。
【００５１】
これにより、着信側の移動電話機には着信履歴が保存されないので、善意の加入者をワン切り業者から守ることができる。しかも、該タイマがタイム・アウトしても切断信号を受信しなかった場合には以降の呼処理シーケンスを継続するので、善意の加入者の発信行為を妨害することがない。
又、ワン切り業者がワン切り電話を続けて発信した場合には、発信局は呼設定受付の処理と解放の処理を行なわなければならないので、ワン切り電話が継続している間は或る程度の輻輳を免れることはできないが、アドレス・メッセージ信号の送信を行なう必要性はないので、ワン切り電話対策をしない場合より輻輳の程度は低くなる。
【００５２】
そして、上記のワン切り電話対策が施されていることをワン切り業者が知れば、ワン切り電話を発信すること自体が徒労であることを理解してワン切り電話を諦めることになるので、上記技術の実施から或る程度の時間が経過すれば、発信局でも輻輳が生ずる恐れが低下してゆく。一方、中継局や着信局はアドレス・メッセージ信号の転送を受けないので、ワン切り電話が継続している間も輻輳は生じない。
【００５３】
図３は、本発明を適用した発信局の処理である。上では、タイマがタイム・アウトしても切断信号を受信しなかったケースと、該タイマがタイム・アウトする前に切断信号を受信したケースを分けて説明したが、ここでは、図３の符号に沿ってそれを統一的に説明する。
Ｓ１．呼設定受付信号を固定電話機に送信したか否か判定する。
【００５４】
呼設定受付信号を送信していないと判定した場合（Ｎｏ）には、呼設定受付信号の送信の有無の監視を継続する。
Ｓ２．ステップＳ１で、呼設定受付信号を送信したと判定した場合（Ｙｅｓ）には、タイマを起動する。
Ｓ３．固定電話機から切断信号を受信したか否か判定する。
【００５５】
切断信号を受信しなかったと判定した場合（Ｎｏ）には、切断信号の受信の有無の監視を継続する。
Ｓ４．ステップＳ３で、固定電話機から切断信号を受信したと判定した場合（Ｙｅｓ）には、タイマがタイム・アウトしているか否か判定する。
Ｓ５．ステップＳ４で、タイマがタイム・アウトしていると判定した場合（Ｙｅｓ）には、アドレス・メッセージ信号を中継局に送信して、固定電話機の発信直後の処理を終了する。
【００５６】
Ｓ６．一方、ステップＳ４で、切断信号を受信した時にはタイマがタイム・アウトしていないと判定した場合（Ｎｏ）には、中継局に対するアドレス・メッセージ信号の送信を行なわずに、固定電話機に対して解放信号を送信し、
Ｓ７．タイマを停止して、固定電話機の発信直後の処理を終了する。
図４は、本発明を中継局に適用した場合の呼処理シーケンス（その１）で、着信側の移動電話機がワン切り防止サービスを要求する登録をしていて、中継局に設置したタイマがタイム・アウトしても発信局から解放信号を受信しなかった場合の呼処理シーケンスである。
【００５７】
まず、固定電話機が呼設定信号を送信する。
該呼設定信号を受信した発信局は、固定電話機に対して呼設定受付信号を返送し、一方、中継局に対してアドレス・メッセージ信号を送信する。
アドレス・メッセージ信号を受信した中継局は、ホーム・ロケーション・レジスタに対して着信翻訳語読み出し要求を行ない、ホーム・ロケーション・レジスタから着信翻訳語を受信する。ここで行なう着信翻訳語読み出しは、従来の技術と同様な、着信先に指定された移動電話機の移動網への加入の有無や、当該移動電話機がどの着信局の配下のエリアに在圏しているかのデータ等をホーム・ロケーション・レジスタから取得するためと、ワン切り防止サービスへの加入の有無及びワン切り防止サービスの実施を要望するか否かの設定をホーム・ロケーション・レジスタから取得するためのものである。
【００５８】
図８に、ホーム・ロケーション・レジスタに登録するデータ例を図示しているが、電話番号が登録されていることで着信先に指定された移動電話機の移動網への加入の有無が判り、図示を省略している在圏エリア・データによって当該移動電話機が在圏しているエリアが判り、図８に示したテーブルに登録されているワン切り防止サービス加入状態とワン切り防止サービス実施状態で、当該移動電話機がワン切り防止サービスに加入しているか否か、加入しているとして現在ワン切り防止サービスの実施を要求されているか否かが判る。
【００５９】
尚、ホーム・ロケーション・レジスタにワン切り防止サービス加入及びワン切り防止サービス実施の要求を行なうには、例えば留守番電話サービス加入及び留守番電話サービス実施の要求と同じように、通信事業者が設定した特番をダイヤルして行なえばよく、この技術は既に広く実施されている。
着信翻訳語を受信した中継局は、当該移動電話機がワン切り防止サービスの実施を要求しているか否か判定する。この場合、ワン切り防止サービスを要求する登録をしている（Ｙｅｓ）ことを想定しているので、中継局はタイマを起動する。しかも、該タイマがタイム・アウトしても発信局から解放信号を受信しなかったことを想定しているので、通常の呼処理シーケンスの通りアドレス・メッセージ信号を着信側に対して送信する。
【００６０】
そして、それ以後も発信側の固定電話機が切断信号を送信しなければ、それ以後は図１２の呼処理シーケンスと同じ処理が行なわれて、発信側の固定電話機と着信側の移動電話機は通話をした後に接続を解放される。
図５は、本発明を中継局に適用した場合の呼処理シーケンス（その２）で、着信側の移動電話機がワン切り防止サービスの実施を要求する登録をしていない場合の呼処理シーケンスである。
【００６１】
まず、固定電話機が呼設定信号を送信する。
該呼設定信号を受信した発信局は、固定電話機に対して呼設定受付信号を返送し、一方、中継局に対してアドレス・メッセージ信号を送信する。
アドレス・メッセージ信号を受信した中継局は、ホーム・ロケーション・レジスタに対して着信翻訳語読み出し要求を行ない、ホーム・ロケーション・レジスタから着信翻訳語を受信する。
【００６２】
着信翻訳語を受信した中継局は、当該移動電話機がワン切り防止サービスの実施を要求しているか否か判定する。この場合、ワン切り防止サービスを要求する登録をしていない（Ｎｏ）ことを想定しているので、中継局はタイマを起動することなく通常の呼処理シーケンスの通りアドレス・メッセージ信号を着信局に対して送信する。
【００６３】
そして、それ以後も発信側の固定電話機が切断信号を送信しなければ、それ以後は図１２の呼処理シーケンスと同じ処理が行なわれて、発信側の固定電話機と着信側の移動電話機は通話をした後に接続を解放される。
図６は、本発明を中継局に適用した場合の呼処理シーケンス（その３）で、着信側の移動電話機がワン切り防止サービスを要求する登録をしていて、中継局に設置したタイマがタイム・アウトする前に発信局から解放信号を受信した場合の呼処理シーケンスである。
【００６４】
まず、固定電話機が呼設定信号を送信する。
該呼設定信号を受信した発信局は、固定電話機に対して呼設定受付信号を返送し、一方、中継局に対してアドレス・メッセージ信号を送信する。
アドレス・メッセージ信号を受信した中継局は、ホーム・ロケーション・レジスタに対して着信翻訳語読み出し要求を行ない、ホーム・ロケーション・レジスタから着信翻訳語を受信する。
【００６５】
着信翻訳語を受信した中継局は、当該移動電話機がワン切り防止サービスの実施を要求しているか否か判定する。この場合、ワン切り防止サービスを要求する登録をしている（Ｙｅｓ）ことを想定しているので、中継局はタイマを起動する。そして、この場合には該タイマがタイム・アウトする前に発信局から解放信号を受信したことを想定しているので、解放信号を受信した中継局は発信局に対して解放完了信号を送信する。
【００６６】
発信局が解放信号を中継局に送信してきたのは、固定電話機が切断信号を発信局に送信したためであるので、中継局が発信局に解放完了信号を送信する前に発信局は固定電話機に解放信号を送信しており、固定電話機はそれに対して解放完了信号を発信局に返送する。
従って、発信局が固定電話機と中継局から解放完了信号を受信した時に固定電話機、発信局及び中継局は接続を解放されて、中継局以降では呼処理シーケンスが行なわれない。
【００６７】
これにより、着信側の移動電話機には着信履歴が保存されないので、善意の加入者をワン切り業者から守ることができる。しかも、該タイマがタイム・アウトしても切断信号を受信しなかった場合には以降の呼処理シーケンスを継続するので、善意の加入者の発信行為を妨害することがない。
又、ワン切り業者がワン切り電話を続けて発信した場合には、発信局は通常の呼設定受付処理とアドレス・メッセージ信号送信処理を行なわなければならないので、ワン切り電話が継続している間は輻輳を免れることはできないが、中継局は着信翻訳語読み出しを行なうだけでアドレス・メッセージ信号の送信を行なう必要性はないので、ワン切り電話対策をしない場合より輻輳の程度は低くなる。しかし、上記のワン切り電話対策が施されていることをワン切り業者が知れば、ワン切り電話を発信すること自体が徒労であることを理解してワン切り電話を諦めることになるので、上記サービスの実施から或る程度の時間が経過すれば、発信局及び中継局で輻輳が生ずる恐れが低下してゆく。一方、着信局はアドレス・メッセージ信号の転送を受けないので、ワン切り電話が継続している間も輻輳は生じない。
【００６８】
図７は、本発明を適用した中継局の処理である。上では、ワン切り防止を行なう登録をしているか否かに分けた上で、タイマがタイム・アウトしても解放信号を受信しなかったケースと、該タイマがタイム・アウトする前に解放信号を受信したケースを分けて説明したが、ここでは、図７の符号に沿ってそれを統一的に説明する。
【００６９】
Ｓ１１．アドレス・メッセージ信号を受信したか否か判定する。
アドレス・メッセージ信号を受信していないと判定した場合（Ｎｏ）には、アドレス・メッセージ信号受信の監視を継続する。
Ｓ１２．ステップＳ１１で、アドレス・メッセージ信号を受信したと判定した場合（Ｙｅｓ）には、ホーム・ロケーション・レジスタから着信翻訳語を読み出す。
【００７０】
Ｓ１３．読み出した着信翻訳語を解析してワン切り防止サービスの実施要求登録がされているか否か判定する。
Ｓ１４．ワン切り防止サービスの実施要求登録がされていると判定した場合（Ｙｅｓ）には、タイマを起動する。
Ｓ１５．解放信号を受信したか否か判定する。
【００７１】
解放信号を受信していないと判定した場合（Ｎｏ）には、解放信号の受信監視を継続する。
Ｓ１６．ステップＳ１５で、解放信号を受信したと判定した場合（Ｙｅｓ）には、タイマがタイム・アウトしているか否か判定する。
Ｓ１７．ステップＳ１６で、タイマがタイム・アウトしていると判定した場合（Ｙｅｓ）と、ステップＳ１３で、ワン切り防止サービスの実施要求登録がされていないと判定した場合（Ｎｏ）には、アドレス・メッセージ信号を着信局に送信して処理を終了する。
【００７２】
Ｓ１８．一方、ステップＳ１６で、タイマがタイム・アウトしていないと判定した場合（Ｎｏ）には、アドレス・メッセージ信号を着信局に送信せずに、発信局に対して解放完了信号を送信する。
Ｓ１９．タイマをリセットして処理を終了する。
ここで、上記はワン切り防止サービスの実施を要求されているか否かを判定した後タイマを起動してタイム・アウト迄に解放信号を受信したか否かの判定をして以降の呼処理シーケンスを停止するか継続するかを決定する方式であり、ワン切り防止サービスの実施を要求されているか否かを判定することで加入者の意思サービスできる利点がある。
【００７３】
しかし、通信事業者としてワン切り電話から加入者を守るという方針を優先させた場合には、加入者の意思とは無関係にワン切り防止サービスを行なうことも意味がある。従って、ワン切り防止サービスの実施を要求されているか否かを判定することはオプションにすることができる。
さて、上の説明は図１４のモデルに準拠しているので、中継局は移動網に於ける中継局であることを想定しており、中継局がホーム・ロケーション・レジスタから着信翻訳語を読み出すとして説明している。
【００７４】
しかし、中継局が固定網の中継局である場合には、ホーム・ロケーション・レジスタから着信翻訳語を読み出すことはできないので、タイマを起動してタイム・アウト迄に解放信号を受信したか否かの判定をして以降の呼処理シーケンスを停止するか継続するかを決定することになる。                              つまり、ワン切り防止サービスの実施を要求されているか否かを判定しないでタイム・アウト迄に解放信号を受信したか否かの判定をして以降の呼処理シーケンスを停止するか継続するかを決定する方式を採用する中継局もありうるということである。
【００７５】
図９は、本発明を着信局に適用した場合の呼処理シーケンス（その１）で、着信局に設置したタイマがタイム・アウトしても中継局から解放信号を受信しなかった場合の呼処理シーケンスである。
まず、固定電話機が呼設定信号を送信する。
該呼設定信号を受信した発信局は、固定電話機に対して呼設定受付信号を返送し、一方、中継局に対してアドレス・メッセージ信号を送信する。
【００７６】
アドレス・メッセージ信号を受信した中継局は、ホーム・ロケーション・レジスタに対して着信翻訳語読み出し要求を行ない、ホーム・ロケーション・レジスタから着信翻訳語を受信する。この場合、着信側の移動電話機の移動網への加入状況及び加入している移動電話機の在圏情報を読み出すことを想定して図示しているが、ワン切り防止サービス実施の要求の有無を判定をしてもよい。
【００７７】
その後、中継局はアドレス・メッセージ信号を着信局に送信する。
アドレス・メッセージ信号を受信した着信局は、タイマを起動する。この場合、該タイマがタイム・アウトしても解放信号を受信しないことを想定しているので、着信局は配下のエリアに対して一斉呼び出しをかける。そして、移動電話機が一斉呼び出し応答を返送するシーケンス以降は既に説明したのと同じシーケンスで処理が行なわれて、固定電話機と移動電話機は通話した後に接続を解放される。
【００７８】
図１０は、本発明を着信局に適用した場合の呼処理シーケンス（その２）で、着信局に設置したタイマがタイム・アウトする前に中継局から解放信号を受信した場合の呼処理シーケンスである。
着信局がアドレス・メッセージ信号を受信してタイマを起動するまでは、図９の呼処理シーケンスと同じである。この場合は、該タイマがタイム・アウトする前に中継局から解放信号を受信することを想定しており、タイム・アウトする前に中継局から解放信号を受信したら着信局は中継局に対して解放完了信号を送信して以降の呼処理シーケンスを停止する。尚、中継局以前でも解放信号と解放完了信号のやりとりがなされる。
【００７９】
これにより、着信側の移動電話機には着信履歴が保存されないので、善意の加入者をワン切り業者から守ることができる。しかも、該タイマがタイム・アウトしても切断信号を受信しなかった場合には以降の呼処理シーケンスを継続するので、善意の加入者の発信行為を妨害することがない。
又、ワン切り業者がワン切り電話を続けて発信する場合には、発信局と中継局は通常の呼処理を行なわなければならないので、ワン切り電話が継続している間は輻輳を免れることはできないが、着信局は実質的に呼処理を行なわないので、殆ど輻輳しない。しかし、上記のワン切り電話対策が施されていることをワン切り業者が知れば、ワン切り電話を発信すること自体が徒労であることを理解してワン切り電話を諦めることになるので、上記サービスの実施から或る程度の時間が経過すれば、発信局及び中継局で輻輳が生ずる恐れが低下してゆく。
【００８０】
図１１は、本発明を適用した着信局の処理である。上では、タイマがタイム・アウトしても解放信号を受信しなかったケースと、該タイマがタイム・アウトする前に解放信号を受信したケースを分けて説明したが、ここでは、図１１の符号に沿ってそれを統一的に説明する。
Ｓ２１．中継局からアドレス・メッセージ信号を受信したか否か判定する。
【００８１】
アドレス・メッセージ信号を受信しなかったと判定した場合（Ｎｏ）には、アドレス・メッセージ信号の受信監視を継続する。
Ｓ２２．ステップＳ２１で、中継局からアドレス・メッセージ信号を受信したと判定した場合（Ｙｅｓ）には、タイマを起動する。
Ｓ２３．中継局から解放信号を受信したか否か判定する。
【００８２】
解放信号を受信しなかったと判定した場合（Ｎｏ）には、解放信号受信監視を継続する。
Ｓ２４．ステップＳ２３で、中継局から解放信号を受信したと判定した場合（Ｙｅｓ）には、タイマがタイム・アウトしたか否か判定する。
Ｓ２５．ステップＳ２４で、タイマがタイム・アウトしたと判定した場合（Ｙｅｓ）には、配下のエリアに対して一斉呼び出しをかけて処理を終了する。
【００８３】
Ｓ２６．一方、ステップＳ２４で、タイマがタイム・アウトしていないと判定した場合（Ｎｏ）には、一斉呼び出しを実施せずに、中継局に対して解放完了信号を送信する。
Ｓ２７．タイマをリセットして処理を終了する。
さて、上の説明は図１４のモデルに準拠しているので、着信局は移動網に於ける中継局の後段に配置される着信局であることを想定しており、着信翻訳語読み出しを行なわないものとしている。しかし、着信局が固定網の発信局に直接接続される場合には、着信翻訳語読み出しを行なう必要がある。従って、この場合には着信局の動作は先に説明した中継局の動作と同じになる。
【００８４】
さて、上において、固定電話機が発信側になり、移動電話機が着信側になることを想定したのは、現状、移動電話機は着信履歴を残す機能を１００％が保有しているのに対して、固定電話機の着信履歴機能の保有率が低いために固定電話機がワン切り電話の対象になっていないという事情と、ワン切り電話は例えば乱数発生装置に接続された固定電話機から発信されるという事情を勘案したものである。しかし、固定電話機の多くが着信履歴保持機能を保有するようにもなりうるし、乱数発生装置に移動電話機を接続して不特定多数の電話機にワン切り電話を発信することも技術的には不可能ではないので、固定電話機と移動電話機のいずれも発信側及び着信側になりうる時代も来るであろう。そして、固定電話機の発受信処理と移動電話機の発受信処理とは本質的に同じである。
【００８５】
従って、上の説明で「固定電話機」、「移動電話機」と限定して記載した点は、単に「電話機」とするのが妥当である。
又、上では固定網の発信局、移動網の中継局、移動網の着信局の如く、固定網と移動網に固有な局を想定して説明したが、上記の如く固定電話機と移動電話機のいずれもが発信電話機、着信電話機になり得るとしたら、固定網と移動網に固有な局に区別して議論する必要がなくなり、しかも、どの局でも本質的に同じ処理を行うので、本発明の技術は一般的に交換装置に適用できるものである。
【００８６】
【発明の効果】
以上詳述した如く、本発明により、着信先電話機に着信履歴を残すだけの目的で短時間で切断を行なう悪意の加入者の意図を封ずることができて、善意の加入者の通信を妨害することがない交換装置を実現することができる。
即ち、第一の発明の交換装置は、該タイマが所定時間経過しないうちに該発信元電話機から切断信号を受信した場合には、該発信元電話機に対して解放信号を送信して呼処理を停止するので、着信先電話機に着信履歴を残すだけの目的で短時間で切断を行なう悪意の加入者の意図を封ずることができ、該タイマが所定時間経過しても該発信元電話機から切断信号を受信しなかった場合には、着信側の交換装置に対してアドレス・メッセージ信号を送信して呼処理を継続するので、善意の加入者の通信を妨害することがない。
【００８７】
又、第二の発明の交換装置は、該タイマが所定時間経過しないうちに該発信側の交換装置から解放信号を受信した場合には、該発信側の交換装置に対して解放完了信号を送信して呼処理を停止するので、着信先電話機に着信履歴を残すだけの目的で短時間で切断を行なう悪意の加入者の意図を封ずることができ、該タイマが所定時間経過しても該発信側の交換装置から解放信号を受信しなかった場合には、着信側の交換装置に対してアドレス・メッセージ信号を中継して呼処理を継続するので、善意の加入者の通信を妨害することがない。
【００８８】
又、第三の発明の交換装置は、該タイマが所定時間経過しないうちに該発信側の交換装置から解放信号を受信した場合には、該発信側の交換装置に対して解放完了信号を送信して呼処理を停止するので、着信先移動電話機に着信履歴を残すだけの目的で短時間で切断を行なう悪意の加入者の意図を封ずることができ、該タイマが所定時間経過しても該発信側の交換装置から解放信号を受信しなかった場合には、着信側電話機に対して呼び出しを行なって呼処理を継続するので、善意の加入者の通信を妨害することがない。
【００８９】
又、第四の発明の交換装置は、着信先電話機がワン切り防止サービス実施状態か否か判定し、該着信側電話機がワン切り防止サービス実施状態であると判定した場合には、上記タイマを起動して第二の発明の移動網交換装置と同じ機能を実現し、該着信側電話機がワン切り防止サービス実施状態でないとき判定した場合には、着信側の交換装置に対してアドレス・メッセージ信号を中継するので、着信先電話機を所有する加入者の要望に沿うサービスを実施することができる。
【００９０】
更に、第五の発明の交換装置は、該タイマが所定時間経過しないうちに該発信側の交換装置から解放信号を受信した場合には、該発信側の交換装置に対して解放完了信号を送信して呼処理を停止するので、着信先電話機に着信履歴を残すだけの目的で短時間で切断を行なう悪意の加入者の意図を封ずることができ、該タイマが所定時間経過しても該発信側の交換装置から解放信号を受信しなかった場合には、着信側電話機に対して呼び出しを行なって呼処理を継続するので、善意の加入者の通信を妨害することがない。
【００９１】
これらにより、善意の加入者にふりかかる迷惑及び不安を解消することができる。又、着信先移動電話機に着信履歴を残すだけの目的で短時間で切断を行なう悪意の加入者の行動を封ずることができて、上記行動によって生ずる交換装置の輻輳を防止できる。
【図面の簡単な説明】
【図１】本発明を発信局に適用した場合の呼処理シーケンス（その１）。
【図２】本発明を発信局に適用した場合の呼処理シーケンス（その２）。
【図３】本発明を適用した発信局の処理。
【図４】本発明を中継局に適用した場合の呼処理シーケンス（その１）。
【図５】本発明を中継局に適用した場合の呼処理シーケンス（その２）。
【図６】本発明を中継局に適用した場合の呼処理シーケンス（その３）。
【図７】本発明を適用した中継局の処理。
【図８】ホーム・ロケーション・レジスタに登録するデータ例。
【図９】本発明を着信局に適用した場合の呼処理シーケンス（その１）。
【図１０】本発明を着信局に適用した場合の呼処理シーケンス（その２）。
【図１１】本発明を適用した着信局の処理。
【図１２】従来の固定電話機、移動電話機間の呼処理シーケンス（その１）。
【図１３】従来の固定電話機、移動電話機間の呼処理シーケンス（その２）。
【図１４】固定電話機、移動電話機間の通信システムのモデル。
【符号の説明】
１  固定電話機
２  発信局
３  中継局
４  着信局
５  ホーム・ロケーション・レジスタ
６  移動電話機
【図１】
2004172776.tif 000003
【図２】
2004172776.tif 000004
【図３】
2004172776.tif 000005
【図４】
2004172776.tif 000006
【図５】
2004172776.tif 000007
【図６】
2004172776.tif 000008
【図７】
2004172776.tif 000009
【図８】
2004172776.tif 000010
【図９】
2004172776.tif 000011
【図１０】
2004172776.tif 000012
【図１１】
2004172776.tif 000013
【図１２】
2004172776.tif 000014
【図１３】
2004172776.tif 000015
【図１４】
2004172776.tif 000016